(57)【要約】  本発明は、移動通信システムにおけるマルチメディアブロードキャスト／マルチキャストサービス（ＭＢＭＳ）を提供する方法に関し、特に、特定のＭＢＭＳサービスの受信を要求したＵＥが、該当ＭＢＭＳページングメッセージの受信に失敗した場合に、ＵＥが特定のＭＢＭＳサービスを受信することができるようにする方法を提供する。ＵＥが位置したセルで、ＭＢＭＳサービスが使用可能であるか否かを示す情報を確認するための周期情報を受信した後に、ＵＥは、周期情報に従って、ＭＢＭＳサービスが使用可能であるか否かを示す情報を含む制御メッセージを周期的に受信することによって、ＭＢＭＳサービスを受信する。
2006528456.tif 000002
【特許請求の範囲】
【請求項１】
マルチメディアブロードキャスト／マルチキャストサービス（ＭＢＭＳ）を支援する移動通信システムにおけるユーザ端末機がＭＢＭＳサービスを受信する方法であって、
前記ユーザ端末機が位置したセルで、前記ＭＢＭＳサービスが提供されるか否かを示す情報を確認するための周期情報を受信するステップと、
前記周期情報に従って、前記ＭＢＭＳサービスが提供されるか否かを示す情報を含む制御メッセージを周期的に確認して前記ＭＢＭＳサービスを受信するステップと
を具備することを特徴とする方法。
【請求項２】
前記制御メッセージは、前記セルでサービスの支援が可能なＭＢＭＳサービスのリストを含むことを特徴とする請求項１記載の方法。
【請求項３】
前記受信された周期情報に従ってタイマーの駆動を開始するステップと、
前記周期情報に従って前記タイマーが終了されると、前記制御メッセージを受信して、前記セルでサービスの支援が可能なＭＢＭＳサービスのリストを確認するステップとをさらに具備することを特徴とする請求項１記載の方法。
【請求項４】
前記ユーザ端末機は、サービス要求手順を介して前記周期情報を受信することを特徴とする請求項１記載の方法。
【請求項５】
前記ユーザ端末機から無線網制御器へＭＢＭＳサービス活性化要求メッセージを送信するステップと、
前記無線網制御器から、前記セルで前記ＭＢＭＳサービスが提供されるか否かを示す情報を確認するための周期情報を含むＭＢＭＳサービス活性化応答メッセージを受信するステップとをさらに具備することを特徴とする請求項４記載の方法。
【請求項６】
前記ＭＢＭＳサービス別に前記周期情報の値を決定するステップをさらに具備することを特徴とする請求項１記載の方法。
【請求項７】
前記ＭＢＭＳサービスの開始を示すメッセージの送信の前後での使用に関して、相互に異なる周期で前記周期情報を設定するステップをさらに具備することを特徴とする請求項１記載の方法。
【請求項８】
マルチメディアブロードキャスト／マルチキャストサービス（ＭＢＭＳ）を支援する移動通信システムにおけるユーザ端末機にＭＢＭＳサービスを提供する方法であって、
前記ＭＢＭＳサービスの開始を知らせる第１のページングメッセージを前記ユーザ端末機へ送信するステップと、
前記ＭＢＭＳサービスが開始された後に、予め設定された周期情報に従って、前記第１のページングメッセージとは区別される第２のページングメッセージを前記ユーザ端末機へ反復して送信するステップと
を具備することを特徴とする方法。
【請求項９】
前記第２のページングメッセージは、前記周期情報に従って、サービスが進行中であるＭＢＭＳサービスの識別子とメッセージタイプ情報とを含むと共に、無線網制御器から前記ユーザ端末機へ送信されることを特徴とする請求項８記載の方法。
【請求項１０】
前記周期情報は、前記ＭＢＭＳサービスの受信を要求したユーザ端末機の数に反比例する周期値を有することを特徴とする請求項８記載の方法。
【請求項１１】
マルチメディアブロードキャスト／マルチキャストサービス（ＭＢＭＳ）を支援する移動通信システムにおけるユーザ端末機がＭＢＭＳサービスを受信する方法であって、
前記ユーザ端末機が、前記ＭＢＭＳサービスに関連したページングメッセージを受信するステップと、
以前に受信されたページングメッセージが存在するか否かを示すフィールドを含むＭＢＭＳページングレコードパラメータを確認して、前記受信されたページングメッセージの有効性を確認するステップと、
前記ページングメッセージが有効なページングメッセージであれば、前記ＭＢＭＳサービスを受信するための動作を遂行するステップと
を具備することを特徴とする方法。
【請求項１２】
前記以前に受信されたページングメッセージが存在するか否かを示すフィールドは、前記ＭＢＭＳサービス別に提供されることを特徴とする請求項１１記載の方法。
【請求項１３】
前記ユーザ端末機は、無線資源制御（ＲＲＣ）接続を設定して、前記ＭＢＭＳサービスを受信することを特徴とする請求項１２記載の方法。
【請求項１４】
前記ユーザ端末機は、ＭＢＭＳ制御チャンネル（ＭＣＣＨ）メッセージを使用して、前記ＭＢＭＳサービスを受信することを特徴とする請求項１２記載の方法。
【発明の詳細な説明】
【技術分野】
【０００１】
本発明は、移動通信システムにおけるマルチメディアブロードキャスト／マルチキャストサービス（Multimedia Broadcast/Multicast service；以下、‘ＭＢＭＳ'と称する）に関し、特に、任意のＭＢＭＳサービスの受信を要求したユーザ端末機が、該当ＭＢＭＳページングメッセージの受信に失敗した場合に、該当ＭＢＭＳサービスを受信する方法に関する。
【背景技術】
【０００２】
最近、通信技術の発達に伴って、符号分割多重接続（Code Division Multiple Access：以下、ＣＤＭＡと称する）移動通信システムから提供されるサービスは、従来の音声サービスだけではなく、パケットデータ、サーキットデータなどのような大容量のデータを伝送するパケットサービス通信と、マルチメディアサービスを伝送することができるマルチメディアブロードキャスト／通信に発展している。したがって、上記マルチメディアブロードキャスト／通信を支援するために、一つあるいは複数のマルチメディアデータソースから複数のユーザ端末機（User Equipment：以下、‘ＵＥ’と称する）にサービスを提供するマルチメディアブロードキャスト／マルチキャストサービスが論議されている。
【０００３】
上記ＭＢＭＳサービスは、リアルタイム映像及び音声、静止画、文字などのマルチメディア伝送形態を支援し、マルチメディア伝送形態によって音声データと映像データとを同時に提供することができるサービスとして大量の伝送資源を要求する。上記ＭＢＭＳサービスは、複数のＵＥが同一のＭＢＭＳサービスを受信することができるので、ブロードキャストチャンネルを介して提供されることができる。
【０００４】
上記ＭＢＭＳサービスは、上記加入者が望むＭＢＭＳサービスを個々の加入者にサービスする一対一（Point to Point：以下、“ＰＴＰ”と称する）サービス及び複数の加入者に上記複数の加入者が要求する同一のＭＢＭＳサービスデータをサービスする一対多（Point to Multi-point：以下、“ＰＴＭ”と称する）サービスが可能である。上記サービスモードは、１つのＭＢＭＳサービスの受信を望むＵＥの数、又は、上記ＭＢＭＳサービスを提供するためのネットワークの送信電力に基づいて決定される。上記ＭＢＭＳサービスが上記ＰＴＰ又はＰＴＭモードで提供される場合に、上記サービスモードは、ＵＥの数又は送信電力が変化するにつれて、各セル別に、上記ＰＴＰから上記ＰＴＭモードへ転換されるか、または、上記ＰＴＭから上記ＰＴＰモードへ転換されることができる。
【０００５】
図１は、移動通信システムにおけるＭＢＭＳサービスの提供に参加する装置を概略的に示す。
【０００６】
図１において、ＵＥ１６１，１６２，１６３，１７１，１７２は、ＭＢＭＳサービスを受信することができる端末機又は加入者を意味し、第１のセル１６０と第２のセル１７０は、ＵＥへＭＢＭＳ関連データを伝送する基地局装置（Ｎｏｄｅ Ｂとも称する）を意味する。以下、“Ｎｏｄｅ Ｂ”及び“セル”は、同一の意味で使用される。
【０００７】
図１に示すように、セル１６０とＵＥ１６１，１６２，１６３との間にマルチメディアサービスのための無線チャンネルが１つのみ構成される。このとき、無線網制御器（Radio Network Controller：以下、ＲＮＣと称する）１４０は、複数のセルを制御する基地局制御器を意味し、マルチメディアデータを特定のセルへ選択的に送信する。また、ＲＮＣ１４０は、上記ＭＢＭＳサービスを提供するために設定されている無線チャンネルを制御する。サービングパケット無線サービス支援ノード（Serving General Packet Radio Service（ＧＰＲＳ）Support Node：以下、“ＳＧＳＮ”と称する）１３０は、各ＵＥのＭＢＭＳ関連サービスを制御する。例えば、上記ＳＧＳＮは、各ＵＥのサービス課金関連データを管理するか、又は、特定のＲＮＣへマルチメディアデータを選択的に送信する。
【０００８】
伝送ネットワーク（Transit NW）１２０は、ブロードキャスト／マルチキャストサービスセンター（Broadcast/Multicast Service Center：以下、“ＢＭ−ＳＣ”と称する）１１０と上記ＳＧＳＮ１３０との間の通信路を提供し、ゲートウェイパケット無線サービス支援ノード（Gateway GPRS Support Node：ＧＧＳＮ）と外部網とから構成されることができる。ＭＢＭＳデータのソースとしての役割を果たすＢＭ−ＳＣ１１０は、ＭＢＭＳデータのスケジューリングを担当している。
【０００９】
図１に図示していないが、ホーム位置登録器（Home Location Register :以下、“ＨＬＲ”と称する）は、ＳＧＳＮ１３０に接続され、上記ＭＢＭＳサービスを要求した該当ＵＥを認証する役割を果たす。
【００１０】
図１に示すように、上記ＭＢＭＳデータストリームは、伝送ネットワーク１２０、ＳＧＳＮ１３０、ＲＮＣ１４０、セル１６０及び１７０を介してＵＥ１６１，１６２，１６３，１７１，１７２へ伝達される。また、任意のＭＢＭＳサービスに対して、複数のＳＧＳＮが存在することができ、各ＳＧＳＮに対して、複数のＲＮＣが存在することができる。また、上記各ＳＧＳＮは、上記ＲＮＣへ上記ＭＢＭＳデータを選択的に送信し、各ＲＮＣは、上記ＭＢＭＳデータを上記セルへ選択的に送信する。該当ＭＢＭＳデータを選択されたＲＮＣのみへ送信するために、上記ＳＧＳＮは、該当ＭＢＭＳデータストリームを送信しなければならないＲＮＣのＲＮＣネームリストを貯蔵し、該当ＭＢＭＳデータを選択された基地局のみへ送信するために、上記ＲＮＣは、該当ＭＢＭＳデータストリームを送信しなければならないセルのセルネームリストを貯蔵する。
【００１１】
図２は、ＭＢＭＳサービスがＵＥへ提供される手順を示す処理フロー図である。
【００１２】
ＭＢＭＳサービスをＵＥへ提供するために、まず、ＳＧＳＮは、ステップ２００のサービス案内（Service Announcement）手順にて、ＲＮＣを介してＵＥへＭＢＭＳサービスに関する基本的な情報を伝送する。任意のＭＢＭＳサービスを提供するために、該当サービスに対する基本的な情報、例えば、上記ＭＢＭＳサービス識別子（MBMS SERVICE ID）、上記ＭＢＭＳサービスを開始する時間（start time）、及び上記ＭＢＭＳサービスの持続時間に関する情報をＵＥへ送信する。ここで、上記ＭＢＭＳ識別子は、マルチキャストインターネットプロトコルアドレス（Multicast Internet Protocol address：以下‘マルチキャストＩＰアドレス’と称する）とアクセスポイントネーム（Access Point Name：以下、‘ＡＰＮ’と称する）とから構成されることができる。
【００１３】
ステップ２１０で、ＵＥが上記案内手順を介して特定のＭＢＭＳサービスに関する基本情報を取得し、受信することを希望する特定のＭＢＭＳサービスがある場合には、ＵＥは、上位ネットワークノードから上記特定のＭＢＭＳサービスの受信を要求する。すなわち、ステップ２１０で、ＵＥは、サービス受信要求手順（以下、“参加手順”と称する）を遂行する。上記参加手順は、ＵＥが、ＳＧＳＮへ自身が受信することを希望する特定のＭＢＭＳサービスを通知し、上記ＳＧＳＮが、ＵＥの認証手順を遂行して、ＵＥへ上記特定のＭＢＭＳサービスを受信することができるか否かを通知する処理である。
【００１４】
ステップ２１０の参加手順において、ＵＥは、ＭＢＭＳサービス活性化要求メッセージ（以下、“ＡＣＴＩＶＡＴＥ ＭＢＭＳ ＣＯＮＴＥＸＴ ＲＥＱＵＥＳＴ”）をＳＧＳＮへ送信する。すると、上記ＳＧＳＮは、ＵＥが上記ＭＢＭＳサービスの受信を希望することを認知した後、上記ＡＣＴＩＶＡＴＥ ＭＢＭＳ ＣＯＮＴＥＸＴ ＲＥＱＵＥＳＴメッセージに応じてＭＢＭＳサービス活性化応答メッセージ（以下、“ＡＣＴＩＶＡＴＥ ＭＢＭＳ ＣＯＮＴＥＸＴ ＡＣＣＥＰＴ”と称する）を該当ＵＥへ送信する。従って、ＳＧＳＮは、上記参加手順において、特定のＭＢＭＳサービスの受信を希望するＵＥのリスト及びＵＥの位置を貯蔵する。
【００１５】
ＢＭ−ＳＣ１１０が上記ＳＧＳＮへ上記ＭＢＭＳサービスの開始を通知すると、ステップ２１５で、上記ＳＧＳＮは、上記ＵＥが要求したＭＢＭＳサービスが開始される際に、上記ＭＢＭＳサービスを要求したＵＥに該当するＲＮＣへ、ＭＢＭＳサービスの開始を通知するセッションスタートメッセージを送信する。
【００１６】
ステップ２２０で、上記ＲＮＣは、上記ＭＢＭＳサービスの受信を望む複数のＵＥを呼び出すために、ＭＢＭＳページングメッセージを付加共通制御物理チャンネル（Secondary-Common Control Physical Channel：以下、“Ｓ−ＣＣＰＣＨ”と称する）のような共通チャンネルを介して送信する。上記ページングメッセージは、複数のＵＥを呼び出すために送信されるので、ステップ２２０のページング手順は、従来のページング手順とは対比される意味で、“グループページング（Group Paging）”とも呼ぶ。
【００１７】
すなわち、ステップ２１０で、ＵＥが参加手順を遂行した後に、上記ＭＢＭＳサービスがＵＥへ提供されるまで、ＵＥがいずれの状態（すなわち、アイドルモード、Ｃｅｌｌ＿ＰＣＨ状態、ＵＲＡ＿ＰＣＨ状態、又はＣｅｌｌ＿ＤＣＨ状態）でも存在することができるので、上記ＭＢＭＳページングメッセージは、ＵＥの状態とは無関係に、すべての状態のＵＥが上記メッセージを受信することができるように送信されなければならない。
【００１８】
従って、上記ＲＮＣは、上記ＭＢＭＳページングメッセージを送信する前に、ページングインジケータチャンネル（PAGING INDICATOR CHANNEL）を送信して、アイドルモード、Ｃｅｌｌ＿ＰＣＨ状態、又はＵＲＡ＿ＰＣＨ状態のＵＥへ、上記ＭＢＭＳページングメッセージが送信されるチャンネルを監視するように通知しなければならない。
【００１９】
さらに具体的に説明すると、上記ＵＥの状態は、３ＧＰＰで、アイドルモード(idle mode)と接続モード（connected mode）とに大別される。上記接続モードは、ＵＥが受信することができる下りリンクチャンネルの種類及びサービス品質（Quality of Service：ＱｏＳ）、ＵＥが送信することができる上りリンクチャンネルの種類に従って、４種類の状態に区別される。上記４種類の状態は、ＵＴＲＡＮ＿ＰＣＨ（UTRAN Register Area Paging Channel）状態、Ｃｅｌｌ＿ＰＣＨ状態、Ｃｅｌｌ＿ＦＡＣＨ状態、及びＣｅｌｌ＿ＤＣＨ状態である。上記共通ページングは、アイドル状態、Ｃｅｌｌ＿ＰＣＨ状態、又はＵＲＡ＿ＰＣＨ状態のＵＥに使用され、専用ページングは、Ｃｅｌｌ＿ＰＣＨ状態又はＵＲＡ＿ＰＣＨ状態のＵＥに使用される。
【００２０】
以下、上記ＵＥ状態について説明する。
【００２１】
（１）Ｃｅｌｌ＿ＤＣＨ状態：Ｃｅｌｌ＿ＤＣＨ状態のＵＥは、ＤＰＣＨを介して送信されるＤＣＨを使用して、ＵＴＲＡＮ／ＣＮと上りリンク及び下りリンクのデータの送受信を行い、上記ＤＣＨ以外の共通チャンネルの送受信を行わない。しかしながら、上記ＵＥが特別な機能を使用している場合には、上記ＤＣＨ以外の順方向アクセスチャンネル（Forward Access Channel：以下、ＦＡＣＨと称する）も受信することができる。上記ＤＣＨを介して送信されるページングメッセージは、上記Ｃｅｌｌ＿ＤＣＨ状態のＵＥをページングするために使用される。
【００２２】
（２）Ｃｅｌｌ＿ＦＡＣＨ状態：このような状態のＵＥは、下りリンクデータをＦＡＣＨを介して受信し、上りリンクデータをＲＡＣＨを介して送信する。上記ＵＥは、自身に割り当てられたＦＡＣＨが受信されるか否かを確認するために、Ｓ−ＣＣＰＣＨを継続して受信する。送信される上りリンクデータがある場合には、上記ＵＥは、チャンネル取得過程を遂行した後に、ＲＡＣＨを介して上記データを送信する。ＤＣＨを介して送信されるページングメッセージは、上記Ｃｅｌｌ＿ＤＣＨ状態のＵＥと同様に、上記Ｃｅｌｌ＿ＦＡＣＨ状態のＵＥを呼び出すのに使用される。
【００２３】
（３）Ｃｅｌｌ＿ＰＣＨ状態：Ｃｅｌｌ＿ＰＣＨ状態のＵＥは、ページングインジケータチャンネル（Paging Indicator Channel：以下、“ＰＩＣＨ”と称する）を監視する。
【００２４】
このとき、ＢＣＨのシステム情報ブロック（System Information Block：以下、“ＳＩＢ”と称する）は、上記ＦＡＣＨを含む他のチャンネルに関する情報を含んでいる。従って、上記ＵＥは、上記ＢＣＨを確認することによって、上記ＰＩＣＨ情報を取得した後に、上記ＰＩＣＨ信号を受信することができる。一方、上記ページングは、上記ＵＥを呼び出す全般の手順を意味する。上記ＲＮＣが上記ＵＥを呼び出す場合に、上記ＵＥの電力消費を最小化するために上記ＤＲＸ（Discontinuous Reception）方式を使用する。
【００２５】
上記ＤＲＸモードにおいて、上記ＵＥがページングメッセージを受信するために、上記ＵＥは、上記ＵＥとＲＮＣとの間であらかじめ設定された時点でのみ、受信器が上記ページングメッセージを受信するようにターンオン（turn on）する。言い換えれば、上記ＵＥは、上記ＤＲＸモードを使用することによって、上記あらかじめ設定された時点でのみ受信器をターンオンし、上記設定された時点以外の時点では、受信器をターンオフ（turn off）することによって、電力消費を最小化する。
【００２６】
さらに具体的に説明すると、上記ＵＥは、ページング時点（Paging Occasion：以下、“ＰＯ”と称する）で、ページングインジケータチャンネル（Paging Indicator Channel：以下、“ＰＩＣＨ”と称する）を受信し、上記受信されたＰＩＣＨ信号に含まれた該当ページングインジケータ（Paging Indicator：以下、“ＰＩ”と称する）が“１”に設定されている場合に、ＰＣＨを介して送信されたページングメッセージを受信する。
【００２７】
ステップ２３０で、ステップ２２０で呼び出されたＵＥが、上記ページングメッセージに応じて上記ＲＮＣへ応答メッセージを送信する。上記受信された応答メッセージを使用して、上記ＲＮＣは、セル別に上記ＭＢＭＳサービスの受信を希望するＵＥの数を把握し、該当セルの適合した無線チャンネル種類を決定することができる。特定のセル内の多くのＵＥがＭＢＭＳサービスの受信を望む場合に、上記ＭＢＭＳサービスは、共通チャンネルを介して提供されることができる。セル内の少数のＵＥが上記ＭＢＭＳサービスの受信を望む場合に、上記ＭＢＭＳサービスは、ＵＥ別に設定された専用チャンネルを介して提供されることができる。上記応答メッセージの送信は、ＲＮＣとＵＥとの間の制御メッセージの交換を介して遂行されるか、又は、ＳＧＳＮとＵＥとの間の制御メッセージの交換を介して遂行されることができる。
【００２８】
また、ステップ２２０で、ＭＢＭＳページングメッセージを受信したＵＥは、ＭＢＭＳ制御チャンネル（MBMS Control Channel：以下、ＭＣＣＨと称する）を介して、ステップ２３５で、該当ＭＢＭＳサービスに対する無線ベアラー（Radio Bearer：以下、“ＲＢ”と称する）を設定するために必要なＭＢＭＳ ＲＢ情報を受信する。
【００２９】
例えば、上記ＭＢＭＳ ＲＢ情報は、ＭＢＭＳサービスが提供される無線チャンネルの情報、例えば、直交可変拡散係数（Orthogonal Variable Spreading Factor：以下、“ＯＶＳＦ”と称する）コード情報、トランスポートフォーマットコマンドインジケータ（Transport Format Command Indicator、以下、“ＴＦＣＩ”と称する）情報、無線リンク制御（Radio Link Control：以下、“ＲＬＣ”と称する）情報、及びパケットデータ収束プロトコル（Packet Data Convergence Protocol：以下、“ＰＤＣＰ”と称する）情報を含む。
【００３０】
上記ＭＣＣＨは、上記ＭＢＭＳ関連制御情報を運搬するチャンネルである。現在まで標準化会議で論議されているＭＣＣＨは、下記のような特徴を有するものと予想される。
【００３１】
１．１つのＭＣＣＨは、セル当たり１つが構成される。
２．ＭＣＣＨは、Ｓ−ＣＣＰＣＨのような共通物理チャンネルを介して送信される。
３．ＵＥは、セル別に構成されているＭＣＣＨに関する情報をシステム情報として取得することができる。
【００３２】
上述したように、ステップ２２０で、呼び出されたＵＥは、ステップ２３０で応答メッセージを送信し、ステップ２３５で、上記ＭＢＭＳサービスを提供する無線チャンネルに関する情報を取得することによって、要求した特定のＭＢＭＳサービスを受信する準備を完了する。
【００３３】
ステップ２４０で、ＲＮＣは、上記ＭＢＭＳ ＲＢを介してＭＢＭＳサービスを提供し、該当ＵＥは、上記ＭＢＭＳ ＲＢを介してＭＢＭＳサービスを受信する。また、上記ＭＢＭＳサービスが提供される間に、ＭＢＭＳサービスを支援するための制御メッセージは、ＭＣＣＨを介して送信されることができる。例えば、特定のＭＢＭＳサービスをＵＥへ提供するための無線ベアラーパラメーターが変更される場合に、該当ＭＢＭＳ制御メッセージがＭＣＣＨを介して該当ＵＥへ送信される。すなわち、ステップ２４０で、ＵＥは、ＭＢＭＳデータだけではなく、上記ＭＣＣＨを介して送信されたＭＢＭＳ制御メッセージも受信することができる。
【００３４】
このとき、特定の時点で、上記ＭＢＭＳサービスセッションが終了される場合に、ステップ２４５で、上記ＳＧＳＮは、上記ＲＮＣへ該当ＭＢＭＳサービスの中止を示すセッション中止（session stop）メッセージを送信する。従って、上記ＲＮＣが上記セッション中止メッセージを受信すると、上記ＲＮＣは、セル別に構成されたＭＣＣＨを介して上記セッション中止メッセージを上記ＵＥへ送信して、該当ＭＢＭＳサービスの終了を通知する。従って、上記セッション中止メッセージを受信すると、上記ＵＥは、上記ＭＢＭＳ ＲＢを解除して、一般的な動作モードへ進入する。
【００３５】
以下、ＭＢＭＳセッションについて簡略的に説明する。
【００３６】
任意のＭＢＭＳサービスは、実際のデータが送信される期間とデータが送信されない期間とに区分されることができる。このように、データが送信される期間と送信されない期間とが確実に区別される場合には、データが送信される期間にのみ送信資源を割り当て、データが送信されない期間には、送信資源を割り当てないことが望ましい。これに従って、現在の３ＧＰＰ規格では、任意のＭＢＭＳサービスで、実際のデータが送信される期間を“セッション”と称する。
【００３７】
このとき、ＢＭ−ＳＣは、各ノードに上記セッションの開始及び終了を通知することができる。各ノードは、上記セッション開始時点で送信資源を割り当て、上記セッション終了時点で送信資源を解除する機能を遂行する。また、１つのＭＢＭＳサービスは、複数のセッションで構成してもよく、１つのセッションで構成してもよい。各セッションの開始は、セッション開始メッセージ（ステップ２１５）及び ＭＢＭＳページングメッセージ（ステップ２２０）を介して上記ＲＮＣ及び上記ＵＥへ通知され、また、各セッションの終了は、セッション中止メッセージ（ステップ２４５及び２５０）を介して上記ＲＮＣ及び上記ＵＥへ通知される。
【００３８】
特定のＭＢＭＳサービスのセッションがすぐ開始されることをＵＥへ知らせるステップ２２０のＭＢＭＳページングメッセージは、該当セル内に位置したすべてのＵＥが上記ＭＢＭＳページングメッセージを受信することができるように送信されなければならない。
【００３９】
しかしながら、特定のＭＢＭＳサービスに関心があるＵＥは、上記ＭＢＭＳページングメッセージを受信することができない。例えば、上記ＭＢＭＳページングメッセージがＵＥへ送信される時点で、任意のＵＥがセル変更領域に位置しているか、又は、フェージングを受けていると仮定すると、上記ＵＥは、上記ＭＢＭＳページングメッセージを受信することができない。従って、上記ＵＥが上記ＭＢＭＳページングメッセージを受信することができないと、該当ＭＢＭＳサービスのセッションの取得に完全に失敗する、という問題点があった。
【００４０】
また、上記ＭＢＭＳページングメッセージを受信することができなかったＵＥは、上記ＭＣＣＨを受信しないので、ステップ２３５のＭＢＭＳ ＲＢ情報も受信しない。その結果、該当ＭＢＭＳサービスの提供を受けることができない、という問題点があった。
【００４１】
すなわち、上記ＭＢＭＳページングメッセージを受信することができなかったＵＥは、ＭＢＭＳサービスセッションの開始を認知することができないので、ＭＢＭＳサービスを受信することができない。また、上記ＭＢＭＳサービスの開始を認知するために、上記参加手順を遂行したすべてのＵＥがすべての状態で、いつもＭＣＣＨを継続して受信することは、ＵＥの電力消費を増加させる、という短所があった。
【００４２】
従って、本発明では、ＭＢＭＳページングメッセージの受信に失敗したＵＥが該当ＭＢＭＳサービスを効率的に受信することができる方案を提案する。
【発明の開示】
【発明が解決しようとする課題】
【００４３】
上記背景に鑑みて、本発明の目的は、ＭＢＭＳサービスを提供する移動通信システムにおいて、ＵＥがＭＢＭＳサービスを効率的に受信する方法を提供することにある。
【００４４】
本発明の他の目的は、ＭＢＭＳサービスを提供する移動通信システムにおいて、ＲＮＣがページングメッセージの受信に失敗したＵＥに第２のページングメッセージを送信する方法を提供することにある。
【００４５】
本発明の更なる目的は、ＭＢＭＳサービスを提供する移動通信システムにおいて、ＵＥがＲＮＣから第２のページングメッセージを受信して、上記ＭＢＭＳサービスを効率的に受信する方法を提供することにある。
【課題を解決するための手段】
【００４６】
このような目的を達成するために、本発明の１つの特徴によれば、マルチメディアブロードキャスト／マルチキャストサービス（ＭＢＭＳ）を支援する移動通信システムにおけるユーザ端末機がＭＢＭＳサービスを受信する方法は、上記ユーザ端末機が位置したセルで、上記ＭＢＭＳサービスが提供されるか否かを示す情報を確認するための周期情報を受信するステップと、上記周期情報に従って、上記ＭＢＭＳサービスが提供されるか否かを示す情報を含む制御メッセージを周期的に確認して上記ＭＢＭＳサービスを受信するステップとを具備することを特徴とする。
【００４７】
本発明の他の１つの特徴によれば、マルチメディアブロードキャスト／マルチキャストサービス（ＭＢＭＳ）を支援する移動通信システムにおけるユーザ端末機にＭＢＭＳサービスを提供する方法は、上記ＭＢＭＳサービスの開始を知らせる第１のページングメッセージを上記ユーザ端末機へ送信するステップと、上記ＭＢＭＳサービスが開始された後に、予め設定された周期情報に従って、上記第１のページングメッセージとは区別される第２のページングメッセージを上記ユーザ端末機へ反復して送信するステップとを具備することを特徴とする。
【００４８】
本発明のさらなる特徴によれば、マルチメディアブロードキャスト／マルチキャストサービス（ＭＢＭＳ）を支援する移動通信システムにおけるユーザ端末機がＭＢＭＳサービスを受信する方法は、上記ユーザ端末機が、上記ＭＢＭＳサービスに関連したページングメッセージを受信するステップと、以前に受信されたページングメッセージが存在するか否かを示すフィールドを含むＭＢＭＳページングレコードパラメータを確認して、上記受信されたページングメッセージの有効性を確認するステップと、上記ページングメッセージが有効なページングメッセージであれば、上記ＭＢＭＳサービスを受信するための動作を遂行するステップとを具備することを特徴とする。
【発明の効果】
【００４９】
ＵＥが任意のＭＢＭＳサービスを支援するためのページングメッセージの受信に失敗した後に、一定の周期でＵＥへ上記ページングメッセージを再送信する。従って、上記ＵＥは、上記ページングメッセージを効率的に受信することができる。
【００５０】
また、セッション特性に基づいて、上記ページングメッセージが送信される周期を異なって設定して、ＵＥの電力消費を減少させる。従って、ＭＢＭＳサービスを支援する移動通信システムの全体の効率性を増加させることができる、という長所がある。
【発明を実施するための最良の形態】
【００５１】
以下、本発明の好適な一実施形態を添付図面を参照しつつ詳細に説明する。下記の説明において、本発明の要旨のみを明瞭にする目的で、関連した公知の機能又は構成に関する具体的な説明は省略する。
【００５２】
下記の説明では、２つの代表的な実施形態を提案する。また、本発明で使用されたメッセージ及びシグナリングの詳細については、３ＧＰＰ標準“３ＧＰＰ２５．３３１”に説明されている。
【００５３】
まず、ＭＢＭＳサービスは、ＵＭＴＳシステムにおいて、同一のデータを複数の受信者へ送信するためのサービスを意味する。このとき、複数の受信者が１本の無線チャンネルを共有するようにして、無線資源を節約することができる。
【００５４】
本発明は、上記ＭＢＭＳサービスを提供する移動通信システムにおいて、ＭＢＭＳページングメッセージの受信に失敗したＵＥが、該当ＭＢＭＳサービスを受信する方案を提案するものであって、下記のように２種類の方案を提案する。
【００５５】
一番目の方案は、ＵＥに基づく接近方法であり、二番目の方案は、ネットワークに基づく接近方法である。
【００５６】
「第１の実施形態」
まず、上記一番目の方案であるＵＥに基づいた接近方法は、ＵＥがＭＢＭＳ制御チャンネルを介して提供されたＭＢＭＳサービスを周期的に確認して、上記ＵＥが要求したＭＢＭＳサービスを確認する方法であって、図３を参照してさらに具体的に説明する。
【００５７】
図３は、本発明の第１の実施形態によるＵＥが該当ＭＢＭＳサービスを受信する、ＵＥに基づく方式を示す処理フロー図である。
【００５８】
ＵＥ３１０は、案内手順を介して任意のＭＢＭＳサービスに関する基本情報を認知する。ＵＥ３１０が受信することを希望する特定のＭＢＭＳサービスＸ）が存在すると、ＵＥ３１０は、ステップ３１５で、ＲＮＣ３０３へ上記ＭＢＭＳサービスＸの受信を要求し、ＲＮＣ３０３は、ＵＥが上記ＭＢＭＳサービスＸを受信することができるか否かをＵＥ３１０へ通知する参加手順を遂行する。すなわち、ステップ３１５で、ＵＥ３１０は、ＲＮＣ３０３へＡＣＴＩＶＡＴＥ ＭＢＭＳ ＣＯＮＴＥＸＴ ＲＥＱＵＥＳＴメッセージを送信し、上記ＡＣＴＩＶＡＴＥ ＭＢＭＳ ＣＯＮＴＥＸＴ ＲＥＱＵＥＳＴメッセージを受信すると、ＲＮＣ３０３は、ＵＥ３１０へＡＣＴＩＶＡＴＥ ＭＢＭＳ ＣＯＮＴＥＸＴ ＡＣＣＥＰＴメッセージを送信する。このとき、上記ＡＣＴＩＶＡＴＥ ＭＢＭＳ ＣＯＮＴＥＸＴ ＲＥＱＵＥＳＴメッセージは、上記ＭＢＭＳサービスを支援する制御情報を確認するための周期情報を含む。すなわち、上記ＡＣＴＩＶＡＴＥ ＭＢＭＳ ＣＯＮＴＥＸＴ ＲＥＱＵＥＳＴメッセージは、上記ＵＥが、自己の位置したセルで、望まれるＭＢＭＳサービスＸを確認するための周期情報（すなわち、タイマー値）Ｔ＿１を含む。
【００５９】
ステップ３２０で、上記参加手順を完了したＵＥ３１０は、上記受信された周期情報Ｔ＿１に従ってタイマーの動作を開始し、ＭＢＭＳページングメッセージを受信する前に要求された次のような動作を遂行する。
【００６０】
ここで、ＭＢＭＳページングメッセージを受信する以前の動作は、下記の通りである。
【００６１】
−上記ＵＥは、一般的な動作モードで動作し、該当ＭＢＭＳページングメッセージが送信される時点を判断するために、ページングインジケータチャンネル（Paging Indicator Channel：以下、ＰＩＣＨと称する）を監視する。
【００６２】
−セル間を移動する際に、上記ＵＥは、新たなセルで、ブロードキャストチャンネル（Broadcast Channel：以下、“ＢＣＨ”と称する）を介して送信されるシステム情報を取得する。
【００６３】
一方、上記ＵＥは、上記ＭＢＭＳサービスに対するＭＢＭＳページングメッセージを受信した後に要求された次の動作を遂行する。
【００６４】
−上記ＵＥは、一般的な動作モードで動作し、該当ＭＢＭＳ制御情報を取得するために、ＭＣＣＨを受信する。
【００６５】
−セル間を移動する時に、上記ＵＥは、新たなセルで、ＢＣＨを介してシステム情報を取得し、上記ＭＣＣＨを介してＭＢＭＳサービス関連制御情報を受信する。
【００６６】
ステップ３２０で、ＵＥ３１０は、ＭＢＭＳページングメッセージを受信する前に要求された動作を遂行するので、上記ＭＣＣＨを介して送信されたＭＢＭＳ関連制御メッセージを受信しない。 
【００６７】
一方、ステップ３２５で、ＲＮＣ３０３は、該当セルで現在提供されているＭＢＭＳサービスリストを含むサービスアベイラビリティ（SERVICE AVAILABILITY）制御メッセージを上記ＭＣＣＨを介してＵＥ３１０へ送信する。上記サービスアベイラビリティメッセージは、セル別に送信される。すなわち、上記サービスアベイラビリティメッセージは、該当セルで、該当の時点にセッションが進行されているＭＢＭＳサービスのリストを含んで、予め設定された周期でセル別に送信される。
【００６８】
ステップ３３０で、ＵＥ３１０は、上記周期情報Ｔ＿１のタイマーが終了されることを確認し、ステップ３３５で、ＭＣＣＨを介して送信されたサービスアベイラビリティメッセージを受信する。
【００６９】
このとき、ＵＥ３１０は、上記サービスアベイラビリティメッセージを介して該当セルで現在ブロードキャストされているサービスがＭＢＭＳサービスＳ１及びＭＢＭＳサービスＳ２であることを確認する。すなわち、上記サービスアベイラビリティメッセージを受信するときまで、ＵＥ３１０は、上記ＭＣＣＨを継続して受信する。このような手順において、ＵＥ３１０は、上記ＭＣＣＨメッセージを運搬する伝送及び論理チャンネルを受信して、上記ＭＣＣＨを介して送信された情報を取得する。
【００７０】
従って、ＵＥ３１０は、ステップ３３５で受信されたサービスアベイラビリティメッセージを介して、自身が受信することを希望するＭＢＭＳサービスＸに対応するサービスＩＤ“Ｓｘ”が存在しないことを確認する。その後に、ＵＥ３１０は、ステップ３４０へ進行して、上記周期情報Ｔ＿１に従って、上記タイマーの動作をさらに開始する。その後に、ＵＥ３１０は、上記ＭＢＭＳページングメッセージを受信する前に要求された上述した動作を遂行する。
【００７１】
ここで、ステップ３２５及びステップ３３５から送信されたサービスアベイラビリティメッセージは、あらかじめ設定されたサービスアベイラビリティ送信周期に従って複数回送信されることもある。すなわち、上記サービスアベイラビリティメッセージは、上記セルであらかじめ設定された周期で送信されることができる。
【００７２】
ステップ３４５で、ＵＥ３１０が参加した上記ＭＢＭＳサービスＸが開始される。このとき、ＵＥ３１０は、上記ＭＢＭＳサービスＸの開始を認知することができない。ステップ３４５で、上記ＭＢＭＳサービスＸが開始されるとしても、ＵＥ３１０は、以前に送信されたＭＢＭＳページングメッセージの受信を失敗した状態であるので、ＵＥ３１０は、上記ＭＢＭＳサービスＸが提供されている事実を認知することができない。
【００７３】
このとき、ステップ３５０で、上記あらかじめ設定された周期情報Ｔ＿１に従ってタイマーが終了されると、ＵＥ３１０は、ＭＣＣＨメッセージの受信動作を開始する。このとき、ステップ３５５で、ＵＥ３１０は、現在のセルにおいて、ＵＥ３１０が要求したＭＢＭＳサービスＸのサービスＩＤ“Ｓｘ”を含むサービスアベイラビリティメッセージを受信する。すなわち、ステップ３６０で、ＵＥ３１０は、上記受信されたサービスアベイラビリティメッセージを確認し、上記受信されたサービスアベイラビリティメッセージが、ＵＥ３１０の要求したＭＢＭＳサービスＸの該当サービス識別子“Ｓｘ”を含むことを認知すると、上記ＭＢＭＳサービスＸを受信するための動作を開始する。このとき、ステップ３６０で、上記ＭＢＭＳサービスＸがＵＥ３１０を含む現在のセルで提供される。
【００７４】
このとき、ＵＥ３１０が上記ＭＢＭＳサービスＸを受信するための動作は、下記の通りである。
【００７５】
任意のＵＥが任意のＭＢＭＳサービスＸに対する参加手順を完了したとしても、上記ＭＢＭＳサービスＸに対するＭＢＭＳページングメッセージの受信を失敗した事実を認知する瞬間、ＵＥ３１０は、下記のような２種類の動作を遂行する。
【００７６】
１．能動的な動作：ＵＥ３１０は、ＭＢＭＳサービスＸを受信するのに必要な情報をＲＮＣ３０３に要求する。ＵＥ３１０は、無線資源制御（Radio Resource Control：以下、“ＲＲＣ”と称する）メッセージを使用してこのような要求を送信する。
【００７７】
２．受動的な動作：ＵＥ３１０は、上記ＭＢＭＳページングメッセージを受信した後の動作モードへ転換した後に、上記ＭＣＣＨを受信することによって、上記ＭＢＭＳサービスＸを受信するのに必要な情報を取得する。
【００７８】
上述したように、特定のＭＢＭＳサービスＸに対する参加手順を完了した後に、ＵＥ３１０は、一定の周期ごとに送信されたＭＣＣＨを受信し、上記ＭＣＣＨを介して受信されたサービスアベイラビリティメッセージを確認して、自身が要求した特定のＭＢＭＳサービスが、該当セルに提供されているか否かを確認する。このとき、上記特定のＭＢＭＳサービスＸが該当セルに提供されていない場合には、通常の動作モードへ戻る。
【００７９】
一方、ＵＥ３１０が要求した該当ＭＢＭＳサービスが提供されている場合に、ＵＥ３１０は、上記ＭＢＭＳサービスＸを受信するのに必要な情報を取得するために、上記ＲＮＣから送信されたＭＣＣＨを確認するか、又は、ＲＲＣメッセージを使用して上記ＲＮＣに上記情報を要求する。
【００８０】
従って、ＵＥ３１０が上記ＭＢＭＳページングメッセージの受信に失敗するとしても、ＵＥ３１０は、あらかじめ設定された周期情報、すなわち、Ｔ＿１の時間内に、該当ＭＢＭＳサービスの開始を認知した後に、上記ＭＢＭＳサービスＸを受信するための動作を遂行する。
【００８１】
このとき、上記ＵＥは、上記参加手順で受信された周期情報Ｔ＿１を使用して、多様な方法にてタイマーの動作を実現することができる。例えば、案内手順でブロードキャスト時間及びプログラム情報が提供されると仮定すると、ＲＮＣは、ＵＥが参加手順を遂行する時点からブロードキャストが開始される時点までの時間間隔を認知することができる。従って、ＲＮＣは、ＵＥが上記セッション開始の以前と以後とに分けて、タイマー間隔を調整することができるようにする。例えば、上記セッションが開始される前のタイマーの周期情報は、上記セッションが開始された後のタイマーの周期情報よりも長い周期に設定されてもよい。
【００８２】
従って、該当ＭＢＭＳページングメッセージの受信に失敗した後に、ＵＥがＭＢＭＳサービスを受信可能であるようにする他の方法では、上記ＵＥが上記ＭＢＭＳサービスを参加する時点で、上記ＲＮＣは、上記セッションが開始される前には、１つの長い周期を有するタイマー値を上記ＵＥへ提供し、上記セッションが開始された後には、上記長い周期を有するタイマー値よりも短い周期を有するタイマー値を提供する。上記タイマー値を上記ＵＥへ提供する時点は、上記ＵＥが上記ＭＢＭＳサービスを参加する時点になってもよく、他の時点になってもよい。
【００８３】
これに従って、上記タイマー値を受信すると、上記ＵＥは、上記タイマーの動作を開始する。上記タイマーが終了されると、上記ＵＥは、上記サービスアベイラビリティメッセージを受信して、上記受信されたサービスアベイラビリティメッセージの内容に従って、上記セッションが開始される前に要求された動作と上記セッションが開始された後に要求された動作のうちの１つを選択して遂行する。
【００８４】
図４は、本発明の第１の実施形態によるＵＥの動作を示すフローチャートである。
【００８５】
図４に示すように、ステップ４０５で、ＵＥは、サービス案内手順を通して、特定のＭＢＭＳサービスに関する基本情報を認知した後に、ＭＢＭＳサービスＸに対する参加手順を遂行する。ステップ４０５で、上記ＵＥは、上記ＭＢＭＳサービスＸを支援するのに必要なタイマー値Ｔ＿１を認知する。
【００８６】
ここで、 上記タイマー値Ｔ＿１は、ＭＢＭＳサービス別に決定されるパラメーターであり、下記式（１）によって計算される。
【００８７】
［数１］
Ｔ＿１＿Ｘ （ＭＢＭＳサービスＸに対するタイマー値）＝Ａ（補正係数）×ＳＥＳＳＩＯＮ＿ＰＥＲＩＯＤ＿Ｘ（ＭＢＭＳサービスＸのセッション周期）・・・（１）
【００８８】
ここで、上記ＭＢＭＳサービスＸのセッション周期“ＳＥＳＳＩＯＮ＿ＰＥＲＩＯＤ＿Ｘ”は、上記ＭＢＭＳサービスＸの平均セッション持続時間に比例する。従って、上記ＭＢＭＳサービスＸに対するタイマー値Ｔ＿１＿Ｘは、上記ＭＢＭＳサービスＸの平均セッション持続時間に比例する。すなわち、平均セッションの持続時間が短いＭＢＭＳサービスに対しては、短いタイマー値Ｔ＿１がさらに効率的であり、平均セッションの持続時間が長いＭＢＭＳサービスに対しては、長いタイマー値Ｔ＿１がさらに効率的である。
【００８９】
このとき、上記ＭＢＭＳサービスＸに対するタイマー値Ｔ＿１＿Ｘが一定の基準値よりも小さい場合に、上記ＵＥの電力消費が過度になる可能性があるので、タイマー値Ｔ＿１を使用しないように構成可能である。
【００９０】
上記タイマー値Ｔ＿１＿Ｘは、ＵＥが参加手順を遂行した後に上記ＭＢＭＳページングメッセージを受信するまで、ＭＣＣＨを受信する周期である。上記参加と上記ＭＢＭＳページングメッセージの受信との間には、比較的大きい時間的な差異を有するので、上記タイマー値Ｔ＿１＿Ｘは、ＵＥの電力消費が過度にならないように決定される。
【００９１】
ステップ４１０で、上記ＲＮＣからＭＢＭＳサービスを受信するのに必要なタイマー値Ｔ＿１を受信した後に、上記ＵＥは、タイマーＴ＿１を動作させる。ステップ４１５で、タイマーＴ＿１の動作が終了すると、上記ＵＥは、ステップ４２０へ進行する。一方、上記タイマーＴ＿１の動作が終了しない場合には、ステップ４１０の動作を継続して遂行する。ステップ４２０で、上記ＵＥは、上記ＭＣＣＨを介してサービスアベイラビリティメッセージを受信する。
【００９２】
このとき、ステップ４２５で、ＵＥは、上記受信されたサービスアベイラビリティメッセージが上記参加手順を通して上記ＵＥが要求したＭＢＭＳサービスＸのサービスＩＤ“Ｓｘ”を含んでいるか否かを検査する。上記受信されたサービスアベイラビリティメッセージが上記ＭＢＭＳサービスＸに対するサービス識別子“Ｓｘ”を含む場合に、上記ＵＥは、ステップ４３０へ進行する。一方、上記受信されたサービスアベイラビリティメッセージが上記サービス識別子“Ｓｘ”を含んでいない場合には、上記ＵＥは、ステップ４１０へ戻って、上記Ｔ＿１タイマーを再開する。
【００９３】
ステップ４３０で、上記サービスアベイラビリティメッセージに上記サービス識別子“Ｓｘ”が存在することは、上記ＭＢＭＳサービスＸがすでに提供されていることを示す。従って、ステップ４３０で、上記ＵＥは、上記ＭＢＭＳサービスＸを受信するための動作を遂行する。すなわち、ステップ４３０で、上記ＵＥは、上記ＭＢＭＳサービスＸを受信するのに必要な情報をＲＲＣメッセージを通して上記ＲＮＣへ要求するか、又は、ＭＢＭＳサービスＸを受信するのに必要な情報を取得するために、上記ＭＣＣＨを受信する。
【００９４】
「第２の実施形態」
上記二番目の方案であるネットワークに基づく接近方法は、ＲＮＣがＭＢＭＳサービスを支援するための別途のページングメッセージを生成して、上記ＵＥが要求したＭＢＭＳサービスを受信するようにする方法である。
【００９５】
まず、本発明の第２の実施形態に従って、上記ＭＢＭＳページングメッセージは、下記のように２種類に分類される。
【００９６】
第１のタイプは、任意のＭＢＭＳサービスがすぐ開始されることを示す一般のＭＢＭＳページングメッセージである。すなわち、第１のタイプである上記ＭＢＭＳサービスメッセージは、上記ＭＢＭＳサービスを提供するためのセッションがすぐ開始されることを上記ＵＥへ通知するのに使用される。
【００９７】
第２のタイプは、本発明に従って導入された新たなＭＢＭＳページングメッセージである。第２のタイプであるＭＢＭＳページングメッセージは、上記セッションが開始された後に、上記任意のＭＢＭＳサービスが提供されることを第１のタイプのＭＢＭＳページングメッセージの受信に失敗したＵＥへ通知する。このとき、上記第１のタイプのＭＢＭＳページングメッセージを受信したＵＥは、上記第２のタイプのＭＢＭＳページングメッセージを無視する。
【００９８】
また、上記第１のタイプのＭＢＭＳページングメッセージの受信に失敗した後に、上記第２のタイプのＭＢＭＳページングメッセージを受信する場合に、上記ＵＥは、自身が要求した上記ＭＢＭＳサービスを受信するための動作を遂行する。すなわち、上記ＭＢＭＳサービスの受信に必要な無線資源情報を取得することによって、該当ＭＢＭＳサービスを受信する。
【００９９】
ネットワークに基づくＭＢＭＳサービス受信方法を、図５を参照してさらに具体的に説明する。
【０１００】
図５は、本発明の第２の実施形態によるネットワークに基づく方式にて、上記ＵＥが該当ＭＢＭＳサービスを受信する方法を示す処理フロー図である。
【０１０１】
図５において、ＵＥ５０５は、サービス案内手順を通して、ＭＢＭＳサービスＸに関する基本情報を認知する。このとき、ＵＥ５０５は、上記任意のＭＢＭＳサービスＸに対する参加手順を遂行した後に、上記ＭＢＭＳページングメッセージの受信の前に要求されたすべての動作を遂行している。
【０１０２】
ステップ５１５で、ＲＮＣ５１０は、上記ＭＢＭＳサービスＸに関連した第１のタイプのＭＢＭＳページングメッセージを送信する。このとき、ＲＮＣ５１０は、上記ＭＢＭＳサービスＸに関連したＭＢＭＳページングメッセージを送信するための周期情報Ｔ＿２を設定し、上記設定された周期情報に従ってタイマー動作を開始する。
【０１０３】
しかしながら、ＵＥ５０５は、セル変更の可能な位置にあるか、又は、フェージング現象により、上記ＭＢＭＳサービスＸに対する第１のタイプのＭＢＭＳページングメッセージの受信に失敗する。一方、ステップ５２０で、ＲＮＣ７１０は、上記ＵＥ５０５が上記第１のタイプのＭＢＭＳページングメッセージを受信するか否かに関係なしに、ＵＥ５０５が位置したセルＹに上記ＭＢＭＳサービスＸを提供し始める。
【０１０４】
このとき、ＵＥ５０５が上記第１のタイプのＭＢＭＳページングメッセージの受信に失敗したので、ステップ５２０で、ＵＥ５０５は、上記ＭＢＭＳサービスＸが開始される事実も認知することができない。ステップ５２５で、上記タイマーＴ＿２が終了されると、ＲＮＣ５１０は、上記第１のタイプのＭＢＭＳページングメッセージとは区別される第２のタイプのＭＢＭＳページングメッセージを構成した後に、上記構成されたメッセージをセルＹへ送信して、上記タイマーＴ＿２の動作をさらに開始する。ステップ５２５で、上記第１のタイプのＭＢＭＳページングメッセージの受信に失敗したＵＥは、周期Ｔ＿２の区間で送信される第２のタイプのＭＢＭＳページングメッセージを受信する。このとき、ステップ５１５で、第１のタイプのＭＢＭＳページングメッセージを受信したＵＥは、上記第２のタイプのＭＢＭＳページングメッセージを受信した場合でさえも、上記第２のタイプのＭＢＭＳページングメッセージを無視する。
【０１０５】
一方、ＵＥ５０５は、ステップ５２５で、上記第２のタイプのＭＢＭＳページングメッセージの受信にさらに失敗する。
【０１０６】
ステップ５３０で、上記Ｔ＿２タイマーが終了されると、ＲＮＣ５１０は、上記第２のタイプのＭＢＭＳページングメッセージを構成した後に、セルＹへ送信し、上記Ｔ＿２タイマーの動作をさらに開始する。このとき、ステップ５３５で、ＵＥ５０５が上記第２のタイプのＭＢＭＳページングメッセージを受信すると、ＵＥ５０５は、上記ＭＢＭＳサービスＸを受信するための動作を実行する。本発明の第２の実施形態によると、ＲＮＣ５１０は、セッションが終了されるときまで、上記周期Ｔ＿２ごとに上記第２のタイプのＭＢＭＳページングメッセージを再送信する。
【０１０７】
すなわち、本発明の第２の実施形態によると、ＲＮＣ５１０は、通常的に、第１のタイプのＭＢＭＳページングメッセージを送信し、上記第１のタイプのＭＢＭＳページングメッセージの受信に失敗したＵＥのために、セッションが開始された後に、周期的に、又は、必要に応じて、第２のタイプのＭＢＭＳページングメッセージを送信する。
【０１０８】
図６は、本発明の第２の実施形態によるＲＮＣの動作を示すフローチャートである。
【０１０９】
図６において、上記ＲＮＣは、任意のセルＹにＭＢＭＳサービスＸを提供する。このとき、上記ＲＮＣが上記複数のセルに上記ＭＢＭＳサービスＸを提供すると、上記ＭＢＭＳページングメッセージは、セル毎に送信される。
【０１１０】
まず、ステップ６０５で、ＲＮＣは、上記ＭＢＭＳサービスＸに対する第１のタイプのＭＢＭＳページングメッセージをセルＹへ送信する。このとき、上記第１のタイプのＭＢＭＳページングメッセージは、メッセージタイプ、サービス識別子などのようなパラメーターを含む。ここで、上記メッセージタイプは、該当メッセージタイプを示すパラメーターであり、上記サービス識別子は、上記第１のタイプのＭＢＭＳページングメッセージの対象となるＭＢＭＳサービスの識別子を示す。
【０１１１】
ステップ６１０で、上記ＲＮＣは、任意のセルＹへ上記第１のタイプのＭＢＭＳページングメッセージを送信すると同時に、Ｔ＿２タイマーを駆動する。
【０１１２】
上記Ｔ＿２タイマーの値は、下記式（２）によって計算可能である。
【０１１３】
［数２］
Ｔ＿２＿Ｘ（サービスＸに対するタイマー値）＝Ｂ（補正係数）×（１／ＵＥ＿Ｘ）・・・（２）
【０１１４】
ここで、“ＵＥ＿Ｘ”は、上記ＭＢＭＳサービスＸに対する参加手順を完了したＵＥのうちで、特定のＲＮＣが管理するセルに位置したＵＥの数を示す。
【０１１５】
式（２）を参照すると、上記タイマー値“Ｔ＿２＿Ｘ”は、ＵＥの数“ＵＥ＿Ｘ”に反比例する。すなわち、ＵＥ＿Ｘが少ないサービス、すなわち、少ない数のＵＥが加入したＭＢＭＳサービスに対しては、タイマー値“Ｔ＿２＿Ｘ”が大きく設定される。一方、ＵＥ＿Ｘが大きいサービス、すなわち、複数のＵＥが加入したＭＢＭＳサービスに対しては、上記タイマー値“Ｔ＿２＿Ｘ”が小さく設定される。これは、“ＵＥ＿Ｘ”の値が大きいほど、上記第１のタイプのＭＢＭＳページングメッセージの受信に失敗したＵＥが発生する確率が高いためである。
【０１１６】
ステップ６１５で、上記Ｔ＿２タイマーが終了すると、上記ＲＮＣは、ステップ６２０へ進行する。一方、上記Ｔ＿２タイマーが終了しないと、ステップ６１０へ戻って、上記Ｔ＿２タイマーを駆動する。ステップ６２０で、上記ＲＮＣは、上記ＭＢＭＳサービスＸに対するセッションが終了されたか否かを検査する。このとき、上記ＭＢＭＳサービスＸに対するセッションが終了されると、上記ＲＮＣは、ステップ６３０へ進行し、上記第２のタイプのＭＢＭＳページングメッセージを送信するためのＴ＿２タイマーの駆動を終了する。
【０１１７】
一方、上記ＭＢＭＳサービスＸに対するセッションが進行中であれば、上記ＲＮＣは、ステップ６２５へ進行して、上記ＭＢＭＳサービスＸの上記第２のタイプのＭＢＭＳページングメッセージを送信するためのＴ＿２タイマーを再駆動する。
【０１１８】
ステップ６２５で、上記ＲＮＣは、上記第２のタイプのＭＢＭＳページングメッセージをセルＹへ送信する。このとき、上記第２のタイプのＭＢＭＳページングメッセージは、上記ＭＢＭＳページングメッセージを受信する前に必要とする動作を実行しているＵＥも受信することができる方法にて送信される。すなわち、上記第２のタイプのＭＢＭＳページングメッセージは、上記第１のタイプのＭＢＭＳページングメッセージと同一の方式にて送信される。
【０１１９】
このとき、上記第２のタイプのＭＢＭＳページングメッセージは、メッセージタイプ、サービス識別子などのようなパラメーターを含む。ここで、上記メッセージタイプは、該当メッセージタイプを示すパラメーターであり、上記サービス識別子は、上記第２のタイプのＭＢＭＳページングメッセージの対象となるＭＢＭＳサービスの識別子を示す。
【０１２０】
ステップ６２５で、上記ＲＮＣが上記第２のタイプのＭＢＭＳページングメッセージの送信を完了すると、上記ＲＮＣは、ステップ６１０へ戻って、上記第２のタイプのＭＢＭＳページングメッセージを再送信する。
【０１２１】
図７は、本発明の第２の実施形態による第２のタイプのＭＢＭＳページングメッセージを受信したＵＥの動作を示すフローチャートである。
【０１２２】
図７において、ステップ７０５で、ＵＥは、ＭＢＭＳサービスＸに関連した第２のタイプのＭＢＭＳページングメッセージを受信する。ステップ７１０で、上記ＵＥは、上記第２のタイプのＭＢＭＳページングメッセージが上記ＵＥが受信した最初のＭＢＭＳページングメッセージであるか否かを判断する。このような判断は、“ＭＢＭＳページングレコード”と呼ばれるパラメータに基づく。上記ＭＢＭＳページングレコードは、“サービスＩＤ”及び“ページ（paged）”の２つのフィールドを含む。上記“サービスＩＤ”フィールドは、ＵＥが参加したＭＢＭＳサービスのサービス識別子を含み、上記“ページ（paged）”フィールドは、上記“サービスＩＤ”フィールドごとに存在し、Ｙｅｓ又はＮｏの値を有する。
【０１２３】
上記ＵＥが上記ＭＢＭＳサービスＸに対する第１のタイプのＭＢＭＳページングメッセージ又は第２のタイプのＭＢＭＳページングメッセージを受信すると、上記ＵＥは、上記ＭＢＭＳサービスに該当する“ｐａｇｅｄ”フィールドをＹｅｓに設定する。一方、上記ＵＥが上記ＭＢＭＳサービスＸに対するセッション中止メッセージを受信すると、上記ＵＥは、上記ＭＢＭＳサービスＸに該当する“ｐａｇｅｄ”フィールドをＮｏに設定する。
【０１２４】
ステップ７１０で、上記ＵＥは、上記受信された第２のタイプのＭＢＭＳページングメッセージの対象となるＭＢＭＳサービスＸに該当する“ｐａｇｅｄ”フィールドを検査する。上記“ｐａｇｅｄ”フィールドがＮｏである場合に、上記ＵＥは、ステップ７１５へ進行し、上記“ｐａｇｅｄ”フィールドがＹｅｓである場合に、上記ＵＥは、ステップ７２０へ進行する。
【０１２５】
ステップ７１５で、ＵＥは、ステップ７０５で受信された第２のタイプのＭＢＭＳページングメッセージが有効なページングメッセージであると判断し、上記受信されたページングメッセージに従って、上記ＭＢＭＳサービスＸを受信するための動作を遂行する。任意のＵＥがステップ７１５へ進行することは、上記ＵＥがある過去の時点で第１のタイプのＭＢＭＳページングメッセージの受信に失敗し、上記ＵＥが受信することを希望するＭＢＭＳサービスがすでに提供されていることを意味する。従って、ステップ７１５で、上記ＵＥは、自身が要求したＭＢＭＳサービスを受信するための動作を開始する。すなわち、ステップ７１５で、上記ＵＥは、上記ＭＢＭＳサービスＸを受信するのに必要な情報をＲＲＣメッセージを通して上記ＲＮＣに要求する。または、ＵＥ３１０は、上記ＭＣＣＨを受信することによって、上記要求された情報を取得する。
【０１２６】
一方、上記ＵＥがステップ７２０へ進行することは、上記第１のタイプのＭＢＭＳページングメッセージをすでに受信して、該当ＭＢＭＳサービスＸを受信するための動作を現在遂行している状態を意味する。従って、ステップ７２０で、上記ＵＥは、上記受信された第２のタイプのＭＢＭＳページングメッセージを無視する。
【０１２７】
以上、本発明の詳細について具体的な実施の形態に基づき説明してきたが、本発明の範囲を逸脱しない限り、各種の変形が可能なのは明らかである。従って、本発明の範囲は、上記実施の形態に限定されるものではなく、特許請求の範囲の記載及び該記載と同等なものにより定められるべきである。
【図面の簡単な説明】
【０１２８】
【図１】ＭＢＭＳサービスのための移動通信システムの網の構成を示すブロック図である。
【図２】ＭＢＭＳサービスのための従来の方式を示す処理フロー図である。
【図３】本発明の第１の実施形態によるＵＥが該当ＭＢＭＳサービスを受信する、ＵＥに基づく方式を示す処理フロー図である。
【図４】本発明の第１の実施形態によるＵＥの動作を示すフローチャートである。
【図５】本発明の第２の実施形態によるＵＥが該当ＭＢＭＳサービスを受信する、網に基づく方式を示す処理フロー図である。
【図６】本発明の第２の実施形態による上位ネットワークノードの動作を示すフローチャートである。
【図７】本発明の第２の実施形態によるＵＥの動作を示すフローチャートである。
【符号の説明】
【０１２９】
１１０    ブロードキャスト／マルチキャストサービスセンター（Broadcast/Multicast Service Center：ＢＭ−ＳＣ）
１２０    伝送ネットワーク（Transit NW）
１３０    サービングパケット無線サービス支援ノード（Serving General Packet Radio Service Support Node：ＳＧＳＮ）
１４０    無線網制御器（Radio Network Controller：ＲＮＣ）
１６０    第１のセル
１７０    第２のセル
１６１，１６２，１６３，１７１，１７２    ユーザ端末機（ＵＥ）
【図１】
2006528456.tif 000003
【図２】
2006528456.tif 000004
【図３】
2006528456.tif 000005
【図４】
2006528456.tif 000006
【図５】
2006528456.tif 000007
【図６】
2006528456.tif 000008
【図７】
2006528456.tif 000009
【国際調査報告】
2006528456.tif 000010
2006528456.tif 000011